(57)【特許請求の範囲】
【請求項１】
ガイド溝を備えた縦枠と、
前記ガイド溝に沿って着脱可能に取り付けた防水板と、
前記縦枠内に設置されていて前記ガイド溝に進退可能なストッパーを設けたロック部材と、を備え、
前記ロック部材はストッパーを設けた錠前であって鍵穴部分を除いて縦枠内に設置され、鍵の操作によって前記錠前のストッパーを前記ガイド溝に進出させることで前記ガイド溝に取り付けた前記防水板の取り外しを阻止するようにしたことを特徴とする防水板ロック装置。
【請求項２】
ガイド溝を備えていて該ガイド溝を仕切る面に係合部を形成した縦枠と、
前記ガイド溝に沿って着脱可能に取り付けた防水板と、
前記縦枠のガイド溝に着脱可能または回動可能に装着して前記縦枠の係合部に進退可能なストッパーを設けたロック部材と、を備え、
前記ロック部材はストッパーを設けた錠前であって鍵穴部分を除いて前記縦枠のガイド溝内に設置され、鍵の操作によって前記錠前のストッパーを前記縦枠の係合部に進出させて係合させることで前記縦枠に取り付けた前記防水板の取り外しを阻止するようにしたことを特徴とする防水板ロック装置。
【請求項３】
前記縦枠のガイド溝に前記係合部として係合溝を設け、鍵の操作によって前記ロック部材のストッパーを進退させて、前記係合溝に対して係脱させるようにした請求項２に記載された防水板ロック装置。
【発明の詳細な説明】
【技術分野】
【０００１】
本発明は、外部から出入口等を通して建物等に浸水することを防止するものであり、特に防水板を無暗に取り外せないようにした防水板ロック装置に関する。
【背景技術】
【０００２】
近年、大雨や洪水等で道路等が浸水すると、その近辺の家屋やビル、或いは地下鉄の駅等の各種の建物に出入口から水が侵入して水浸しになり、被害が拡大することがあった。このような浸水を防ぐために防水板装置を建物の出入り口に設置することが有効である。この防水板装置は建物の入口に一対の縦枠を設け、これら縦枠のガイド溝に防水板の両端部を挿入して浸水を防止している。
しかも、現在では一年を通して突然集中豪雨となるゲリラ豪雨がいつ襲来するかわからないため、また旅行などで長期間不在になる場合を考慮したり、前もって雨が降ることを想定して、常時、建物の出入口の防水板装置に防水板を設置して浸水による被害を防ぐようにしている。しかしながら、防水板装置に防水板を設置したままにしておくと、防水板が盗難の被害にあうことがあった。
【０００３】
このような事態に対し、近年の防水板装置では、例えば特許文献１及び２に示すように、防水板が防止板装置の縦枠から外れないようにロック（施錠）しておく技術が提案されている。特許文献１に記載された防水板装置では、防水板の水密性を向上させることを考慮して、防水板と縦枠との間にクレセント錠やラッチ錠等を設置している。
また、特許文献２に記載されたものでは、防水板を支持する両側の縦枠の上端部に基礎台座を固定し、この基礎台座に上端の防水板を押圧する圧迫装置を連結している。これによって、縦枠に挿入された防水板の水密性を高めている。そして、圧迫装置の調整スクリューのネジ体上部に設けたリング部材とナット前側の螺合部とに設けた孔に施錠具を取り付けて施錠することで、防水板の取り外しと盗難を防いでいる。
【先行技術文献】
【特許文献】
【０００４】
【特許文献１】特開２０１２−８７４６５号公報
【特許文献２】特許第５３２２２４１号公報
【発明の概要】
【発明が解決しようとする課題】
【０００５】
しかしながら、上述した特許文献１に記載された防水板装置では、クレセント錠やラッチ錠は外部に露出しているためボルトクリッパー等の工具を使えば破錠することが容易であり、防水板の盗難を防げなかった。また、特許文献２に記載された防水板装置においても圧迫装置の調整スクリューに設けたリング部材とナット前側の螺合部とに設けた施錠具やその取り付け部が外部に露出しているため、ボルトクリッパー等で施錠具を切断し易かった。そのため、やはり防水板の盗難を防げないという欠点があった。
【０００６】
本発明は、このような課題に鑑みてなされたものであって、ロック部材の取り付け部及び係止部を外部に露出させないで破錠等を容易に行えないようにした防水板ロック装置を提供することを目的とする。
【課題を解決するための手段】
【０００７】
本発明による防水板ロック装置は、ガイド溝を備えた縦枠と、ガイド溝に沿って着脱可能に取り付けた防水板と、縦枠内に設置されていてガイド溝に進退可能なストッパーを設けたロック部材とを備え、前記ロック部材はストッパーを設けた錠前であって鍵穴部分を除いて縦枠内に設置され、鍵の操作によって前記錠前のストッパーをガイド溝に進出させることでガイド溝に取り付けた防水板の取り外しを阻止するようにしたことを特徴とする。
本発明による防水板ロック装置は、対向する縦枠のガイド溝に防水板を挿入して取り付け、その後に縦枠内に設置されたロック部材を施錠することでストッパーをガイド溝に進出させ、防水板を縦枠のガイド溝から取り外そうとしてもストッパーによって阻止して防水板の取り外しを防止できる。しかも、ロック部材は縦枠内に設置したため、外部からの破錠等による防水板の取り外しが困難である。
【０００８】
しかも、ロック部材は縦枠内に設けた錠前であるから、錠前の鍵穴に対して鍵の操作によってストッパーをガイド溝内に進出させて防水板の取り外しを阻止でき、ストッパーをガイド溝内から後退させることで防水板を縦枠のガイド溝を通して取り外すことができる。
なお、縦枠はガイド溝を備えたガイド部と建物の壁面に固定した基部とを有しており、錠前は基部内に固定してもよいし、ガイド溝内に固定してストッパーをガイド溝内に進退させるようにしてもよい。
【０００９】
本発明による防水板ロック装置は、ガイド溝を備えていて該ガイド溝を仕切る面に係合部を形成した縦枠と、ガイド溝に沿って着脱可能に取り付けた防水板と、縦枠のガイド溝に着脱可能または回動可能に装着して縦枠の係合部に進退可能なストッパーを設けたロック部材と、を備え、前記ロック部材はストッパーを設けた錠前であって鍵穴部分を除いて縦枠のガイド溝内に設置され、鍵の操作によって前記錠前のストッパーを縦枠の係合部に進出させて係合させることで、縦枠に取り付けた防水板の取り外しを阻止するようにしたことを特徴とする。
本発明による防水板ロック装置は、縦枠のガイド溝にロック部材を装着し、ロック部材からストッパーを進出させて、縦枠のガイド溝を仕切る面に形成した係合部に係合させることで、ロック部材をガイド溝内に固定できるため、縦枠のガイド溝内に取り付けた防水板はロック部材によって取り外しを阻止される。しかも、ロック装置は、ストッパーと縦枠のガイド溝に形成した係合部とが係合してガイド溝内に固定されているために、係合部が外部に露出することがほとんどなくロック部材の外部からの取り外しが困難である。
【００１０】
また、縦枠のガイド溝に係合部として係合溝を設け、鍵の操作によってロック部材のストッパーを進退させて係合溝に対して係脱させるようにしてもよい。
ロック部材はガイド溝に装着した錠前であり、錠前に対して鍵の操作によってストッパーを突出させて、縦枠のガイド溝を仕切る面に設けた係合溝と係合させることでガイド溝に固定される。そのため、縦枠のガイド溝に取り付けた防水板はロック部材によってガイド溝からの取り外しを阻止でき、ストッパーをガイド溝の係合溝から後退させることで防水板を縦枠のガイド溝から取り外すことができる。
【発明の効果】
【００１１】
本発明による防水板ロック装置は、縦枠内に設置されたロック部材を施錠してストッパーをガイド溝に進出させることで、防水板を縦枠のガイド溝から取り外すことを阻止できる。しかも、ロック部材は縦枠内に設置したため、外部からの取り外しが困難である。
また、本発明による防水板ロック装置は、縦枠のガイド溝にロック部材を装着し、ロック部材から突出したストッパーを縦枠のガイド溝を仕切る面に形成した係合部に係合させることでロック部材をガイド溝内に固定できるため、防水板をガイド溝から取り外すことを阻止する。しかも、ロック部材はガイド溝内に固定してストッパーを縦枠の係合部に係合させたため外部に露出せず、外部からの取り外しが困難である。
【００１２】
しかも、本発明による防水板ロック装置は、一対の縦枠のガイド溝間に防水板を積層してその上にロック部材のストッパーを設置したため、防水板の盗難を防ぐと共に強風が吹いた場合でも防水板の浮き上がりや離脱をストッパーによって防止できる。また、一対の縦枠が対向する面にロック部材の突出がないか少ないので、縦枠間または縦枠を取り付ける建物の壁面間の有効開口幅をロック部材によって狭めることがない。
【図面の簡単な説明】
【００１３】
【図１】本発明の第一実施形態による防水板ロック装置の正面図である。
【図２】図１に示す防水板ロック装置の平面図である。
【図３】図２における防水板ロック装置のＡ−Ａ線断面図である。
【図４】縦枠とロック部材を示す説明図であり、（ａ）は縦枠とロック部材の要部側面図、（ｂ）は同図（ａ）のＢ−Ｂ線水平断面図である。
【図５】縦枠のガイド溝に防水板を取り付けたロック状態を示す要部水平断面図である。
【図６】第一実施形態によるロック部材の変形例を示す要部側面図である。
【図７】本発明の第二実施形態による防水板ロック装置における縦枠とロック部材を示す図であり、（ａ）は縦枠とロック部材の要部縦断面図、（ｂ）は同図（ａ）のＣ−Ｃ線水平断面図である。
【図８】縦枠のガイド溝に防水板と錠前を取り付けたロック状態を示す要部水平断面図である。
【図９】本発明の第三実施形態による防水板ロック装置における縦枠とロック部材を示す説明図であり、（ａ）は縦枠とロック部材の要部縦断面図、（ｂ）は同図（ａ）のＤ−Ｄ線水平断面図である。
【図１０】図９に示すロック部材を示すものであり、（ａ）は係止爪を収納させた側面図、（ｂ）は係止爪を突出させた側面図である。
【図１１】縦枠のガイド溝に防水板と錠前を取り付けたロック状態を示す要部水平断面図である。
【図１２】中柱を備えた防水板ロック装置の変形例を示す要部正面図である。
【図１３】図１２に示す防水板ロック装置の中柱と防水板を示すＤ−Ｄ線断面図である。
【図１４】第二実施形態による防水板ロック装置の変形例を示すものであり、（ａ）は錠前の平面図、（ｂ）は縦枠のガイド溝に錠前を係合させたロック状態を示す要部断面図である。
【発明を実施するための形態】
【００１４】
以下、本発明の実施形態による建物の防水板ロック装置を図１乃至図１１に基づいて説明する。
図１から図５は本発明の第一実施形態による防水板ロック装置１を示すものである。図１において、建物の出入り口２の開口に防水板ロック装置１が設置されている。防水板ロック装置１は建物の出入り口２の両側の壁面２ａの屋外側に連結された一対の縦枠３と防水板４とを備えている。
【００１５】
図２及び図３において、各縦枠３は断面コの字状のガイド溝６ａを備えたガイド部６とガイド溝６ａを建物の壁面２ａに連結する例えば角筒状の基部７とが一体に形成されている。縦枠３の上端は蓋５で閉塞されている。一対の縦枠３は基部７がボルト８で壁面２ａに固定されている（図５参照）。各縦枠３は断面コの字状のガイド溝６ａが対向するように配設され、各ガイド溝６ａには防水板４の両端部が挿入されている。
防水板４は例えば長方形板状でアルミ合金からなっており、各ガイド溝６ａに沿って昇降可能であり、必要に応じて装着と取り外しが行える。なお、各防水板４のガイド溝６ａに挿入される側端面には図示しない排水口や弾性保護材等が設けられている。図１に示す例では、防水板４は上下方向に三層に積層された状態で一対の縦枠３のガイド溝６ａに挿入されて水密に保持されている。
【００１６】
そして、各縦枠３において基部７の上部にはロック部材として錠前１０が装着されている。錠前１０はガイド溝６ａ内に挿入する防水板４の高さより高い位置に設置するものとし、本実施形態では、三層積層した防水板４の上側で縦枠３に装着されている。
図４及び図５に示す縦枠３の基部７における水平断面において、基部７はガイド溝６ａの深さ方向において内外両側に二つの枠部１１、１２が形成され、その中間部１３は蓋部１３ａで閉鎖している。錠前１０はガイド溝６ａの内面側に露出する内側端部１４に対して筒状の錠前本体１５が内側枠部１１と中間部１３に亘って回転可能に装着され、錠前本体１５の内側端部１４が締め付けナット１６によって内側枠部１１の内壁に固定されている。錠前本体１５の内側端部１４には鍵穴１８が外部に露出して設けられている。
【００１７】
また、錠前本体１５には舌片状の係止片１７が固定され、ガイド溝６ａの基部７側に設けた内壁１９には係止片１７を進退させる貫通孔１９ａが形成されている。そして、鍵穴１８に挿入した図示しない鍵を正逆に略９０°回転させることで、錠前本体１５内の内筒（図示せず）と係止片１７を回転させて、係止片１７を基部７の中間部１３内に収納した位置と貫通孔１９ａを通してガイド溝６ａ内に進出した位置とを選択的にとるようにしている。
しかも、ガイド溝６ａ内に突出した係止片１７は、防水板４を縦枠３のガイド溝６ａ内に例えば３枚積層した状態で、最も上側の防水板４の上部に位置することで防水板４の取り外しを阻止できる。本実施形態では、ガイド溝６ａ内に進出した係止片１７と最上位の防水板４との間に若干の間隙が設けられているにすぎない。そのため、防水板４を傾けたとしてもガイド溝６ａから外れることを防止できる。
【００１８】
本第一実施形態による防水板ロック装置１は上述の構成を備えており、次にその使用方法について説明する。
防水板ロック装置１において、一対の縦枠３のガイド溝６ａ内に防水板４を装着するには、各縦枠３の基部７の内面側に設けた錠前１０の鍵穴１８に鍵を差し込んで図３及び図４において反時計回りに回転させ、図４で二点鎖線で示すように係止片１７をガイド溝６ａから基部７の中間部１３内に退避させる。この状態で、各縦枠３のガイド溝６ａ内に防水板４を挿入して例えば図１に示すように三枚の積層状態に積み上げる。そのため、三層の防水板４は水密状態に保持される。
【００１９】
そして、錠前１０の鍵穴１８に鍵を差し込んで例えば図４において時計回りに略９０°回転させると、係止片１７は内壁１９の貫通孔１９ａを通して回転し、図３から図５に実線で示すように、ガイド溝６ａ内における最上段の防水板４の上側に進出する。この状態で、各縦枠３のガイド溝６ａ内に積層された防水板４はガイド溝６ａ内に進出した係止片１７でロックされ、取り外しを阻止される。次いで、防水板４を縦枠３から取り外すには、前述したように鍵によって錠前１０の鍵穴１８を回転させて係止片１７をガイド溝６ａから基部７の中間部１３内に退避させればよい。
【００２０】
上述のように本第一実施形態による防水板ロック装置１によれば、縦枠３内に設置された錠前１０を施錠して係止片１７をガイド溝６ａに進出させるため、防水板４を縦枠３のガイド溝６ａから取り外すことを阻止できる。
しかも、錠前１０は鍵穴１８を備えた内側端部１４が縦枠３の内面側に露出するだけであり、錠前１０を縦枠３内に固定する締め付けナット１６は錠前本体１５と共に基部７内に保持した内蔵構造であるため、縦枠３の外部に突出する部分がほとんどなく、第三者が錠前１０を縦枠３から取り外したりボルトクリッパー等で破壊したりすることはできない。
また、一対の縦枠３のガイド溝６ａ間に防水板４を積層してその上に錠前１０の係止片１７を設置したため、防水板４の盗難を防ぐと共に強風が吹いた場合でも防水板４の浮き上がりや離脱を防止できる。また、縦枠３間または建物の壁面２ａ間の有効開口幅を錠前１０によって狭めることがない。
【００２１】
なお、本発明による防水板ロック装置１は、上述した実施形態に限定されるものではなく、本発明の要旨を逸脱しない範囲で適宜の変更や置換等が可能である。以下に、本発明の他の実施形態や変形例について説明するが、上述した実施形態で説明した部品や部材等と同一または同様なものについては同一の符号を用いて説明する。
【００２２】
例えば、図６は本第一実施形態による防水板ロック装置１の変形例を示すものである。本変形例において、ロック位置にある錠前１０の係止片１７は、ガイド溝６ａ内において、最上位の防水板４を押圧するように配設されている。これによって、各縦枠３のガイド溝６ａ内に挿入されて積層された防水板４は互いに圧縮されるために、その水密性が一層高くなり、水の侵入をより確実に防止できる。また、防水板４の浮き上がりやがたつき等も防止できると共に、操作者による防水板の床面への押圧力にバラツキが生じない。
【００２３】
図７及び図８は本発明の第二実施形態による防水板ロック装置１Ａを示すものである。
本第二実施形態による防水板ロック装置１Ａは、ガイド部６のガイド溝６ａの上端部に拡径された拡径凹部２２が形成され、拡径凹部２２の基部７側の内壁１９とこれに対向するガイド溝６ａの外壁２３にはそれぞれ係合溝１９ｂ、２３ａが係合部として形成されている。これらの係合溝１９ｂ、２３ａは貫通孔でもよいし、貫通しない袋穴でもよい。
【００２４】
一方、ロック部材としてガイド溝６ａの拡径凹部２２に嵌合可能な錠前２５が設置されている。この錠前２５は例えば縦枠３の上面に載置される錠前頭部２６とその下側に形成された比較的外形の小さい錠前本体２７とが一体形成されている。これら錠前頭部２６と錠前本体２７は例えば四角形板状に形成されており、錠前本体２７はガイド溝６ａの上部に形成した拡径凹部２２に嵌合可能とされている。錠前頭部２６は拡径凹部２２よりも拡径した外径を有しており、拡径凹部２２に錠前本体２７が嵌合した状態でガイド部６の上端部に着座する。
【００２５】
そして、錠前頭部２６の表面には鍵穴２８が形成され、錠前本体２７の対向する側面には一対の係止爪２７ａが進退可能とされており、鍵穴２８に図示しない鍵を挿入して例えば所定角度正逆回転させることで一対の係止爪２７ａを進退可能としている。錠前本体２７から突出した一対の係止爪２７ａは拡径凹部２２の内壁１９と外壁２３に設けた係合溝１９ｂ、２３ａに係合して錠前２５をガイド溝６ａの上部に固定する。また、一対の係止爪２７ａを錠前本体２７内に後退させることで、錠前２５は錠前本体２７を拡径凹部２２から取り外し可能となる。
【００２６】
本第二実施形態による防水板ロック装置１Ａは上述の構成を備えているから、一対の縦枠３のガイド溝６ａ内に防水板４を挿入する場合には、錠前２５の係止爪２７ａを錠前本体２７内に後退させてガイド溝６ａの上部の拡径凹部２２から取り外す。そして、一対のガイド溝６ａ内に防水板４を順次挿入すればよい。
【００２７】
防水板４を挿入して積層した状態でロックするには、ガイド溝６ａの上部の拡径凹部２２内に錠前２５の錠前本体２７を嵌合させる。そして、錠前頭部２６の鍵穴２８に鍵を差し込んで回転することで、錠前本体２７の対向する側面から係止爪２７ａがそれぞれ突出し、ガイド溝６ａを仕切る内壁１９の係合溝１９ｂと外壁２３の係合溝２３ａ内に係合する。
この状態で、錠前２５はガイド溝６ａの拡径凹部２２に係合して固定保持される。しかも、錠前２５がガイド溝６ａの両端部の上側に重なって覆うために、一対のガイド溝６ａに挿入された防水板４の取り外しを阻止できる。
【００２８】
上述のように本第二実施形態による防水板ロック装置１Ａによれば、一対の係止爪２７ａと係合溝１９ｂ、２３ａによってガイド溝６ａに固定された錠前２５によって防水板４の取り出しを阻止できる。しかも、錠前２５は鍵穴２８を備えた錠前頭部２６がガイド溝６ａから突出するだけであり、互いに係合する錠前２５の一対の係止爪２７ａとガイド溝６ａを仕切る内壁１９及び外壁２３の係合溝１９ｂ、２３ａとは縦枠３内にほぼ隠れる内蔵構造であるため、第三者が錠前２５を縦枠３から取り外したりボルトクリッパー等の工具で破壊したりすることはできない。
また、一対の縦枠３のガイド溝６ａ内に防水板４を積層してその上に錠前２５を固定したため、防水板４の盗難を防ぐと共に強風等による防水板４の浮き上がりや離脱を防止できる。また、縦枠３間または建物の壁面２ａ間の有効開口幅を錠前２５によって狭めることがない。
【００２９】
次に本発明の第三実施形態による防水板ロック装置１Ｂを図９から図１１によって説明する。
本第三実施形態による防水板ロック装置１Ｂは、図９及び図１１に示すように、ガイド溝６ａ内の最奥部をなす内奥壁６ｂの上部に錠前３１が固定されている。この錠前３１は、図１０に示すように略四角形筒形状の錠前本体３２を有しており、その一の側面３２ａには開口が形成されていて開口から係止爪３３が進退可能とされている。
係止爪３３は例えば側面視扇形形状を有しており、錠前本体３２から突出した状態でガイド溝６ａに挿入された防水板４を取り出すことを阻止できる。なお、係止爪３３の形状は側面視扇形形状に限定されるものではなく、防水板４の取り出しを阻止できれば側面視三角形等、適宜の形状を採用できる。
【００３０】
また、錠前本体３２の係止爪３３を備えた側面３２ａに対向する側面の上端にはガイド部６の上端に係合させるための取り付けフック３２ｂが形成され、錠前本体３２の下端にはガイド溝６ａの内奥壁６ｂに固定するためのねじ固定部３２ｃが形成されている。錠前本体３２の上面には鍵穴３４が形成されており、鍵穴３４に図示しない鍵を挿入して回転することで錠前本体３２に対して係止爪３３を進退させることができる。
なお、ガイド溝６ａ内に錠前本体３２の下面を着座させる段部を形成してもよい。この場合、係止爪３３が錠前本体３２内に退避した状態で、防水板４は錠前本体３２に干渉することなく段部にガイドされてガイド溝６ａに沿って出し入れできる。
【００３１】
そして、各縦枠３のガイド部６におけるガイド溝６ａの最奥部の内奥壁６ｂの上部に錠前３１を取り付けて取り付けフック３２ｂを内奥壁６ｂの上端に係止させる。また、錠前３１の下端のねじ固定部３２ｃを内奥壁６ｂにねじ３５で固定する。この状態で、係止爪３３が錠前本体３２内に退避していると、一対の縦枠３のガイド溝６ａに防水板４の両端部を挿脱する際、錠前本体３２に干渉しない。
一方、錠前３１の鍵穴３４に鍵を挿入して回転させて係止爪３３を突出させると、一対の縦枠３のガイド溝６ａに収納された防水板４の両端部がそれぞれ係止爪３３に当接するため、取り出しを阻止できる。
【００３２】
上述のように本第三実施形態による防水板ロック装置１Ｂにおいても、ガイド部６におけるガイド溝６ａの内奥壁６ｂに固定された錠前３１からガイド溝６ａ内に突出した係止爪３３によって、一対の縦枠３のガイド溝６ａに収納された防水板４の取り出しを阻止できる。
しかも、錠前３１は鍵穴３４を備えた上面がガイド溝６ａから突出するだけであり、錠前３１の取り付けフック３２ｂでガイド溝６ａの内奥壁６ｂ上端に係止されている一方で、錠前３１の下端のねじ固定部３２ｃはガイド溝６ａ内で錠前本体３２の下側に位置していて外部から見えない。そのため、第三者が錠前３１を縦枠３から取り外したりボルトクリッパー等で破錠したりすることはできない。
また、上述した他の実施形態と同様に、一対の縦枠３のガイド溝６ａ内の防水板４の上側に錠前３１を固定したため、防水板４の盗難を防ぐと共に強風等による防水板４の浮き上がりや離脱を防止できる。また、縦枠３間または建物の壁面２ａ間の有効開口幅を錠前３１によって狭めない。
【００３３】
また、図１２及び図１３は本発明の第一実施形態の別の変形例を示すものである。本変形例では、建物の出入り口２の両側の壁面２ａの間が広く形成されている。そのため、両側の壁面２ａの外側に一対の縦枠３を取り付け、その中間に中柱４０が設置されている。各縦枠３には対向する位置にガイド溝６ａが形成され、中柱４０の両側面４０ａには各縦枠３のガイド溝６ａに対向するように別個のガイド溝４１がそれぞれ形成されている。
そして、一方の縦枠３と中柱４０の一方の側面４０ａの各ガイド溝６ａ、４１内に防水板４が収納されて積層され、他方の縦枠３と中柱４０の他方の側面４０ａの各ガイド溝６ａ、４１内にも防水板４が収納されて積層されている。
【００３４】
そして、各縦枠３と中柱４０のガイド溝６ａ、４１における収納された防水板４の上側には、例えば第一実施形態で示す錠前１０がそれぞれ設置され、ロック状態で収納された防水板４の取り出しを阻止できるようにしている。
また、第一実施形態による錠前１０に代えて第二実施形態、第三実施形態による錠前２５、３１を設置してもよいことはいうまでもない。
また、各錠前１０、２５、３１は必ずしも防水板４を収納する両側に縦枠３のガイド溝６ａや中柱４０のガイド溝４１に設置しなくてもよく、片側のガイド溝６ａ、４１に設置するだけでもよい。この場合、防水板４の取り外しを防ぐために、最上位の防水板４に当接または極近接させて係止片１７や係止爪２７ａ、３３を設けることが好ましい。
【００３５】
また、図１４は第二実施形態による防水板ロック装置１Ａの変形例を示すものである。
本変形例では、防水板ロック装置１Ａは、ガイド部６のガイド溝６ａの上端部にロック部材として錠前４２が設置されている。この錠前４２は鍵穴２８を備えた錠前頭部４３と、対向する側面の一方にヒンジ部４５の一端を固定すると共に他方に係止爪２７ａを進退可能に設けた錠前本体４４とを有している。しかも錠前本体４４はガイド部６のガイド溝６ａ内に着脱可能としている。
そして、錠前本体４４に固定したヒンジ部４５の他端はガイド溝６ａの一方の内壁１９に連結され、錠前４２をガイド溝６ａに対して開閉可能にした。錠前本体４４の係止爪２７ａは突出位置でガイド溝６ａの外壁２３に形成した係合溝２３ａに係合される。
【００３６】
そのため、本第二実施形態の変形例による防水板ロック装置１Ａでは、一対の縦枠３のガイド溝６ａ内に防水板４を挿入する場合には、ヒンジ部４５回りに錠前４２を回動させてガイド溝６ａの上端を開放し、一対のガイド溝６ａ内に防水板４を順次挿入すればよい。
防水板４を挿入して積層した状態でロックするには、錠前４２をヒンジ部４５回りに回動させてガイド溝６ａの上端内に錠前本体４４を嵌合させる。そして、錠前頭部４３の鍵穴２８に鍵を差し込んで回転等することで、錠前本体４４の側面から係止爪２７ａを突出させてガイド溝６ａを仕切る外壁２３の係合溝２３ａ内に係合する。この状態で、錠前４２はガイド溝６ａの上部を閉鎖してロックされ、ガイド溝６ａに挿入された防水板４の取り外しを阻止できる。
なお、錠前４２は防水板４を縦枠３に取り付けない場合でもガイド溝６ａの上端を蓋をすることができる。本変形例では錠前４２の係止爪２７ａとガイド部６の係合溝２３ａを１カ所に設けたが、複数カ所に設けてもよい。
【００３７】
なお、中柱４０は本発明における縦枠に含まれる。また、本発明において錠前１０、２５、３１、４２はロック部材を構成し、係止片１７、係止爪２７ａ、３３はストッパーを構成する。
【符号の説明】
【００３８】
１、１Ａ、１Ｂ  防水板ロック装置
３  縦枠
４  防水板
６  ガイド部
６ａ、４１  ガイド溝
７  基部
１０、２５、３１、４２  錠前
１５、２７、３２  錠前本体
１７  係止片
１８、２８、３４  鍵穴
１９  内壁
１９ｂ、２３ａ  係合溝
２２  拡径凹部
２３  外壁
２７ａ、３３  係止爪
３２ｂ  取り付けフック
３２ｃ  ねじ固定部
３５  ねじ
４０  中柱  
【図１】
0006480241.tif 000002
【図２】
0006480241.tif 000003
【図３】
0006480241.tif 000004
【図４】
0006480241.tif 000005
【図５】
0006480241.tif 000006
【図６】
0006480241.tif 000007
【図７】
0006480241.tif 000008
【図８】
0006480241.tif 000009
【図９】
0006480241.tif 000010
【図１０】
0006480241.tif 000011
【図１１】
0006480241.tif 000012
【図１２】
0006480241.tif 000013
【図１３】
0006480241.tif 000014
【図１４】
0006480241.tif 000015